(57)【要約】【課題】取付ネジのカバーを容易に開閉可能とし、かつカバーを取り外すことなく取付ネジを操作可能とした建具用取っ手を提供する。【解決手段】把持部を支持するベース部材を取付ネジで移動框に固定し、該取付ネジを覆うカバーを備えた建具用取っ手において、ベース部材１０ａ及びカバー２２には、カバー２２の一端の押圧に基づいて回動開閉する開閉手段２３，２８を設けて、該カバー２２の開放時に取付ネジ１３を露出可能とした。【選択図】図５
2007303257.tif 000002
【特許請求の範囲】
【請求項１】
把持部を支持するベース部材を取付ネジで移動框に固定し、該取付ネジを覆うカバーを備えた建具用取っ手において、
前記ベース部材及びカバーには、前記カバーの一端の押圧に基づいて回動開閉する開閉手段を設けて、該カバーの開放時に前記取付ネジを露出可能としたことを特徴とする建具用取っ手。
【請求項２】
前記開閉手段は、
前記ベース部材に設けた係止部と、
前記カバーに設けられ、前記係止部に回動可能に支持される回動孔とで構成し、
前記カバーの一端の押圧操作により該カバーを回動させて開放可能としたことを特徴とする請求項１記載の建具用取っ手。
【請求項３】
前記カバーには、前記回動孔に連通して前記係止部を該回動孔に挿入可能とした案内孔を設け、前記係止部は非円形とし、前記回動孔は前記係止部の所定角度の回転を許容し、前記カバーの閉鎖時には、前記係止部の前記案内孔内への移動を阻止する形状としたことを特徴とする請求項２記載の建具用取っ手。
【請求項４】
前記係止部は、前記ベース部材の内側面に突出する直方体状とし、前記回動孔は前記直方体状の係止部を所定角度の相対回転させたときの回動軌跡の最大範囲に相当する形状としたことを特徴とする請求項３記載の建具用取っ手。
【請求項５】
前記カバーとベース部材には、前記カバーを閉鎖状態に保持する保持手段を備えたことを特徴とする請求項１乃至４のいずれか１項に記載の建具用取っ手。
【請求項６】
前記保持手段は、前記カバーの閉鎖時に係合する係止凸部と係止凹部としたことを特徴とする請求項５記載の建具用取っ手。
【請求項７】
前記係止凸部と係止凹部を、前記係止部と回動孔に設けたことを特徴とする請求項６記載の建具用取っ手。
【請求項８】
前記係止部を２分割して、前記回動孔の内周に弾性的に係合可能としたことを特徴とする請求項７記載の建具用取っ手。
【請求項９】
前記回動孔の内周面は、前記カバーの閉鎖方向の回動に基づいて前記係止部との隙間が小さくなる曲面としたことを特徴とする請求項６記載の建具用取っ手。
【発明の詳細な説明】
【技術分野】
【０００１】
この発明は、アコーデオンカーテンや折戸等の間仕切り装置あるいはその他の建具の取っ手に関するものである。
【背景技術】
【０００２】
アコーデオンカーテンは、蛇腹状に伸縮可能としたカーテン生地を壁面間で引き出し、あるいは壁面側に畳み込んで、室内空間を適宜に区画するものである。このようなアコーデオンカーテンでは、カーテン生地の一端が移動框に取着され、他端が固定框に取着される。
【０００３】
そして、固定框が壁面等に固定され、移動框に取着された取っ手を操作して移動框を移動させることにより、カーテン生地が引き出され、あるいは畳み込まれるようになっている。
【０００４】
上記のような取っ手は、通常取付ネジで移動框に固定され、取付ネジによる取付後は、その取付ネジを覆い隠す蓋が取着される。
特許文献１，２には、取付ネジを覆うカバーが開示されている。
【特許文献１】特許第３１９０９６６号公報
【特許文献２】特開昭６２−２２０６８２号公報
【発明の開示】
【発明が解決しようとする課題】
【０００５】
特許文献１，２に記載された蓋は、その蓋に形成された係止部等を取っ手の基台部に弾性的に嵌合する構成であるため、その蓋を基台部から取り外すには、基台部との係合部分を弾性変形させてその係合を解除する必要がある。従って、その取り外し作業が煩雑である。
【０００６】
また、取っ手の取り付け位置の調整等により取付ネジを操作する場合には、蓋を取り外し、その蓋を適当な場所に一旦保管しておく必要があるため、その保管作業も煩雑となる。
【０００７】
この発明の目的は、取付ネジのカバーを容易に開閉可能とし、かつカバーを取り外すことなく取付ネジを操作可能とした建具用取っ手を提供することにある。
【課題を解決するための手段】
【０００８】
請求項１では、把持部を支持するベース部材を取付ネジで移動框に固定し、該取付ネジを覆うカバーを備えた建具用取っ手において、前記ベース部材及びカバーには、前記カバーの一端の押圧に基づいて回動開閉する開閉手段を設けて、該カバーの開放時に前記取付ネジを露出可能とした。
【０００９】
請求項２では、前記開閉手段は、前記ベース部材に設けた係止部と、前記カバーに設けられ、前記係止部に回動可能に支持される回動孔とで構成し、前記カバーの一端の押圧操作により該カバーを回動させて開放可能とした。
【００１０】
請求項３では、前記カバーには、前記回動孔に連通して前記係止部を該回動孔に挿入可能とした案内孔を設け、前記係止部は非円形とし、前記回動孔は前記係止部の所定角度の回転を許容し、前記カバーの閉鎖時には、前記係止部の前記案内孔内への移動を阻止する形状とした。
【００１１】
請求項４では、前記係止部は、前記ベース部材の内側面に突出する直方体状とし、前記回動孔は前記直方体状の係止部を所定角度の相対回転させたときの回動軌跡の最大範囲に相当する形状とした。
【００１２】
請求項５では、前記カバーとベース部材には、前記カバーを閉鎖状態に保持する保持手段を備えた。
請求項６では、前記保持手段は、前記カバーの閉鎖時に係合する係止凸部と係止凹部とした。
【００１３】
請求項７では、前記係止凸部と係止凹部を、前記係止部と回動孔に設けた。
請求項８では、前記係止部を２分割して、前記回動孔の内周に弾性的に係合可能とした。
【００１４】
請求項９では、前記回動孔の内周面は、前記カバーの閉鎖方向の回動に基づいて前記係止部との隙間が小さくなる曲面とした。
【発明の効果】
【００１５】
本発明によれば、取付ネジのカバーを容易に開閉可能とし、かつカバーを取り外すことなく取付ネジを操作可能とした建具用取っ手を提供することができる。
【発明を実施するための最良の形態】
【００１６】
（第一の実施の形態）
以下、この発明をアコーデオンカーテンに具体化した一実施の形態を図面に従って説明する。図１に示すアコーデオンカーテンは、パンタグラフ状に伸縮する骨組み１の前後両側に表面材２が取着されて本体部が構成され、その骨組み１の一端の支軸１ａに移動框３が相対回動可能に取着され、他端の支軸１ｂに固定框４が相対回動可能に取着されている。
【００１７】
前記固定框４は壁面５に固定され、前記移動框３の前後両面における上下方向中央部には取っ手６がそれぞれ取着されている。
そして、前記骨組み１が複数のランナーを介してハンガーレールに移動可能に吊下支持され、取っ手６を操作することにより骨組み１及び表面材２をハンガーレールに沿って伸縮可能となっている。
【００１８】
図２に示すように、前記移動框３の先端面にはクッション材７が嵌着され、対向する柱面との衝突による異音の発生を防止している。
また、前記取っ手６の上方及び下方の少なくとも２箇所において前記クッション材７が切除され、その切除部分にはマグネット８がそれぞれ嵌着されている。そして、マグネット８の端面すなわち柱面に対向する面にはヨーク板９が露出されている。
【００１９】
前記柱面には前記各マグネット８に対向する位置に磁性材にてなる吸着板が取着されている。そして、移動框３が柱面近傍まで引き出されて、ヨーク板９が吸着板に当接すると、マグネット８の吸着力によりヨーク板９が吸着板に吸着保持されるようになっている。
【００２０】
図２及び図３に示すように、前記取っ手６は一対のベース部材１０ａ，１０ｂ間に把持部１１が回転可能に支持され、各ベース部材１０ａ，１０ｂが前記移動框３の側面に固定される。すなわち、図３に示すように、ベース部材１０ａ，１０ｂには移動框３の側面に対向する取付辺１２が設けられ、その取付辺１２に挿通された取付ネジ１３が固定板１４に螺入される。
【００２１】
そして、取付ネジ１３を固定板１４のネジ孔に締めこむと、取付辺１２と固定板１４との間に移動框３の側面に形成されたリブ１５が挟着されて、取っ手６が移動框３の側面に固定される。
【００２２】
前記把持部１１はベース部材１０ａ，１０ｂに対し所定角度の範囲で回動可能に支持されている。図３に示すように、把持部１１はベース１０ａ，１０ｂに支持された回転軸１６に対し回転可能に支持されるとともに、図４に示すように、ベース部材１０ａ，１０ｂの底辺に設けられた円弧状のガイド溝１７にガイド軸１８が挿通されている。
【００２３】
従って、把持部１１はベース部材１０ａ，１０ｂに対し、回転軸１６を支点としてガイド溝１７の範囲内で回動可能となっている。
前記回転軸１６の周囲には捩りコイルスプリング１９が巻装され、その捩りコイルスプリング１９の一端はベース部材１０ａ，１０ｂの一方の側辺２０に支持され、他端は前記ガイド軸１８に支持されている。
【００２４】
そして、前記ガイド軸１８に作用する捩りコイルスプリング１９の付勢力により、把持部１１は常には図２に示す原位置に保持され、この状態から捩りコイルスプリング１９の付勢力に抗して前記ガイド溝１７で規制される範囲で、同図に示す矢印方向に回動操作可能となっている。
【００２５】
また、把持部１１を手放せば、捩りコイルスプリング１９の付勢力により、把持部１１が原位置に自動的に復帰するようになっている。
前記把持部１１の上下両端部には、前記移動框３の先端面に沿って押圧部材２１が設けられている。そして、移動框３のヨーク板９が対向する柱面の吸着板に吸着している状態で一方の把持部１１を矢印方向に回動させたとき、押圧部材２１が柱面を押圧して移動框３を回動させるため、ヨーク板９を吸着板から容易に離脱させることができる。
【００２６】
前記ベース部材１０ａ，１０ｂには、ベース部材１０ａ，１０ｂ内の前記取付ネジ１３、捩りコイルスプリング１９等を覆うカバー２２が取着される。そのカバー２２をベース部材１０ａ，１０ｂに取り付けるための構造を以下に説明する。
【００２７】
前記ベース部材１０ａ，１０ｂと、そのベース部材１０ａ，１０ｂに取着されるカバー２２は、把持部１１の上下部に線対称状に位置し、その構造は同一であるので、把持部１１の上部に位置するベース部材１０ａと、そのベース部材１０ａに取着されるカバー２２について説明する。
【００２８】
図４に示すように、前記ベース部材１０ａの側辺２０の内面には、係止部２３が突出されている。その係止部２３は水平方向に延びる直方体状に形成され、その長手方向両側面は凸曲面となっている。
【００２９】
前記ベース部材１０ａ，１０ｂの底辺近傍において、前記側辺２０の内面には上下方向に延びる係止凹部２４が形成されている。
前記カバー２２は、その蓋面２５が前記把持部１１に連なる湾曲面で構成され、その蓋面２５の両側に取付辺２６が形成されている。前記取付辺２６には前記蓋面２５に沿う方向に、前記係止部２３を挿通可能とした案内孔２７が開口されている。
【００３０】
前記案内孔２７の奥部には、前記係止部２３の相対回動を許容する回動孔２８が形成されている。その回動孔２８は蓋面２５が把持部１１に連なるように、カバー２２をほぼ４５度の範囲で回動させたときの係止部２３の回動軌跡の最大範囲に相当する形状に形成されている。
【００３１】
前記カバー２２の取付辺２６には、外側面下部に係止凸部２９が設けられている。そして、前記カバー２２の蓋面２５が把持部１１に連なる位置まで回動されたとき、係止凸部２９が前記係止凹部２４に弾性的に係合するようになっている。
【００３２】
次に、上記のように構成されたカバー２２の作用を説明する。カバー２２をベース部材１０ａに取り付けるには、図５（ｃ）に示すように、カバー２２の蓋面２５をほぼ水平方向として、案内孔２７に係止部２３を挿通する。
【００３３】
そして、係止部２３が回動孔２８内に達した状態で、図５（ｂ）から図５（ａ）に示すようにカバー２２を回動させると、係止部２３が案内孔２７内に移動不能となって、カバー２２がベース部材１０ａに保持される。このとき、係止凸部２９が係止凹部２４に係合するため、カバー２２のがたつきが防止される。
【００３４】
カバー２２を取り外す場合には、図５（ａ）に示すように、カバー２２の上端部を矢印方向に押圧すると、係止凸部２９と係止凹部２４との係合が外れ、カバー２２が係止部２３を支点として回動される。そして、蓋面２５がほぼ水平方向となるまで回動させると、図５（ｃ）に示すように、係止部２３を案内孔２７から抜き出して、カバー２２をベース部材１０ａから取り外し可能となる。
【００３５】
また、蓋面２５を水平方向とした状態では、ベース部材１０ａ外から取付ネジ１３に向かってドライバー３０を挿入可能となり、カバー２２を取り外すことなく取付ネジ１３を操作可能である。
【００３６】
ベース部材１０ｂとそのベース部材１０ｂに取着されるカバー２２も、上下方向に逆である点を除いて、同様である。
上記のように構成された取っ手６では、次に示す作用効果を得ることができる。
（１）取っ手６を操作することにより移動框３を移動させて、アコーデオンカーテンをハンガーレールに沿って引き出し、あるいは畳み込むことができる。
（２）カバー２２の案内孔２７にベース部材１０ａ，１０ｂの係止部２３を挿入し、さらに係止部２３を回動孔２８内に位置させた状態でカバー２２を回動させることにより、係止部２３の案内孔２７内への移動が阻止されるので、カバー２２をベース部材１０ａ，１０ｂに容易に取着することができる。
（３）ベース部材１０ａの上端若しくはベース部材１０ｂの下端を押圧して、同ベース部材１０ａ，１０ｂを回動させて係止部２３と案内孔２７の方向を一致させれば、カバー２２をベース部材１０ａ，１０ｂから容易に取り外すことができる。
（４）図５（ｃ）に示す状態から図５（ｂ）に示すように、カバー２２を僅かに回動させれば、回動孔２８の周縁部が係止部２３に引っ掛かるので、カバー２２をベース部材１０ａ，１０ｂに取り付ける際、カバー２２の回動操作中に同カバー２２がベース部材１０ａ，１０ｂから容易に外れることはない。
（５）係止凹部２４と係止凸部２９との作用により、カバー２２取付後のカバー２２のがたつきを防止することができる。
（６）カバー２２を図５（ｃ）に示すように回動させれば、ベース部材１０ａ，１０ｂ内にドライバー３０を挿入して、取付ネジ１３を操作することができる。従って、取っ手６を移動框３に取着するとき、カバー２２を前もってベース部材１０ａ，１０ｂに取り付けておくこともできる。また、取っ手６の取付位置を調整する場合にも、カバー２２をベース部材１０ａ，１０ｂから取り外すことなく、取付ネジ１３の操作を行うことができるので、カバー２２の一時的な保管に煩わされることはない。
（第二の実施の形態）
図６は、第二の実施の形態を示す。この実施の形態は、前記第一の実施の形態の係止凹部２４及び係止凸部２９に代えて、係止部２３と回動孔２８にカバー２２を取付状態に保持する保持機能を備えるようにしたものであり、その他の構成は第一の実施の形態と同様である。
【００３７】
この実施の形態の係止部３１ａ，３１ｂは二分割され、図６（ｂ）に示すように、回動孔３２の周縁に対抗する各係止部３１ａ，３１ｂの側面には係止凸部３３ａ，３３ｂが形成されている。
【００３８】
図６（ａ）に示すように、カバー２２をベース部材１０ａに取着した状態で、係止凸部３３ａ，３３ｂに対応する回動孔３２周縁には、係止凹部３４ａ，３４ｂが形成されている。また、係止部３１ａ，３１ｂの外側面間の距離は、回動孔３２の内径より僅かに大きくなるように形成されている。
【００３９】
このような構成により、図６（ｄ）に示すように、案内孔２７内に係止部３１ａ，３１ｂを挿入し、同図（ｃ）に示すように、カバー２２を回動させると、カバー２２は係止部３１ａ，３１ｂを互いに近づく方向に撓ませながら回動する。そして、図６（ａ）に示す状態までカバー２２を回動させると、係止凸部３３ａ，３３ｂが係止凹部３４ａ，３４ｂに係合する。
【００４０】
従って、カバー２２をベース部材１０ａ，１０ｂに取着した状態では、カバー２２のがたつきを防止することができる。
（第三の実施の形態）
図７は、第三の実施の形態を示す。この実施の形態は、前記第一の実施の形態の回動孔２８の形状を変更して、カバー２２の取付操作をさらに容易に行い得るようにしたものである。
【００４１】
この実施の形態の回動孔３５は、カバー２２の取付操作時に、その回動開始時における回動孔３５の内径Ｄ（図７（ｄ）参照）を係止部２３の長さより長くし、回動終了時における回動孔３５の内径ｄ（図７（ｅ）参照）が係止部２３の長さとほぼ等しくなるように形成されている。
【００４２】
このような構成により、図７（ｃ）に示すように、カバー２２の回動操作を開始するとき、係止部２３を回動孔３２内に容易に案内して、回動操作を円滑に開始することができる。
【００４３】
そして、図７（ｂ）から同図（ａ）に示すように、カバー２２を回動するにつれて、係止部２３と回動孔３５の内周面との間の隙間が小さくなり、同図（ａ）に示す状態では、回動孔３５の内周面と係止部２３との間の隙間がなくなる。
【００４４】
従って、この実施の形態では、カバー２２の回動操作の開始を円滑に行うことができるとともに、カバー２２の取付後のがたつきを防止することができる。
上記実施の形態は、以下の態様で実施してもよい。
・上記各実施の形態の取っ手は、アコーデオンカーテン以外の建具に使用してもよい。
【図面の簡単な説明】
【００４５】
【図１】アコーデオンカーテンを示す平面図である。
【図２】取っ手を示す斜視図である。
【図３】取っ手を示す側面図である。
【図４】ベース部材とカバーを示す分解斜視図である。
【図５】（ａ）〜（ｃ）は第一の実施の形態のカバーの動作を示す断面図である。
【図６】（ａ）〜（ｄ）は第二の実施の形態のカバーの動作を示す断面図である。
【図７】（ａ）〜（ｅ）は第三の実施の形態のカバーの動作を示す断面図である。
【符号の説明】
【００４６】
３…移動框、１０ａ，１０ｂ…ベース部材、１１…把持部、１３…取付ネジ、２２…カバー、２３，３１ａ，３１ｂ…開閉手段（係止部）、２８，３２，３５…開閉手段（回動孔）。
【図１】
2007303257.tif 000003
【図２】
2007303257.tif 000004
【図３】
2007303257.tif 000005
【図４】
2007303257.tif 000006
【図５】
2007303257.tif 000007
【図６】
2007303257.tif 000008
【図７】
2007303257.tif 000009